(57)【要約】【課題】無線によりデータ通信を行おうとした際に、移動通信端末の現在地や動作モードに適した情報を簡単に提供する。【解決手段】移動通信端末１０００は複数の動作モードのうちいずれかを選択して無線によりデータ通信を行う。記憶部６００は、スループット値６１０ｃと端末位置情報６１０ａとスループット値６１０ｂとを互いに対応付けて、通信状態情報６１０として記憶する。そして、情報検出部５４０が、移動通信端末１０００がデータ通信を行おうとした際に取得される端末位置情報である現時端末位置情報と、移動通信端末１０００がデータ通信を行おうとした際に選択されていた動作モードである選択動作モードに基づいて、記憶部６００に記憶された通信状態情報６１９を検出し、情報提供部５５０が、情報検出部５４０の検出結果に基づいて、通信状態情報６１０に関する情報を提供する。【選択図】      図１
2012227709.tif 000002
【特許請求の範囲】
【請求項１】
予め設けられた複数の動作モードのうちいずれかを選択して、無線によりデータ通信を行う移動通信端末であって、
前記移動通信端末の位置情報を端末位置情報として取得する位置情報取得部と、
前記移動通信端末が無線によりデータ通信を行っている間に、単位時間当たりの実効転送量であるスループット値を計測するスループット計測部と、
前記スループット計測部により計測したスループット値と、前記スループット値を計測した際に取得した端末位置情報と、前記スループット値を計測した際に選択されていた動作モードとを、互いに対応付けて通信状態情報として記憶する記憶部と、
前記移動通信端末が無線によりデータ通信を行おうとした際に前記位置情報取得部により取得される前記端末位置情報である現時端末位置情報と、前記移動通信端末が無線によりデータ通信を行おうとした際に選択されていた前記動作モードである選択動作モードに基づいて、前記記憶部に記憶された通信状態情報を検出する情報検出部と、
前記情報検出部の検出結果に基づいて、前記通信状態情報に関する情報を提供する情報提供部を備えた移動通信端末。
【請求項２】
前記情報検出部は、前記現時端末位置情報が示す位置から所定範囲内の位置を示す端末位置情報を含む通信状態情報が、前記記憶部に記憶されていると検出した場合に、当該検出された通信状態情報に含まれるスループット値よりも高いスループット値を含み、かつ、前記選択動作モードと同じ動作モードを含む通信状態情報が、前記記憶部に記憶されているか否かを判断する請求項１に記載の移動通信端末。
【請求項３】
前記情報検出部は、前記現時端末位置情報が示す位置と同じ位置から所定範囲内の位置を示す端末位置情報を含む通信状態情報が、前記記憶部に記憶されていると検出した場合に加えて、さらに、当該検出された通信状態情報に含まれるスループット値が、所定のスループット値以下である場合に、当該検出された通信状態情報に含まれるスループット値よりも高いスループット値を含み、かつ、前記選択動作モードと同じ動作モードを含む通信状態情報が、前記記憶部に記憶されているか否かを判断する請求項１に記載の移動通信端末。
【請求項４】
前記情報検出部が、前記検出された通信状態情報に含まれるスループット値よりも高いスループット値を含み、かつ、前記選択動作モードと同じ動作モードを含む通信状態情報が、前記記憶部に記憶されていると検出した場合、
前記情報提供部は、当該検出した通信状態情報のうちで、最も高いスループット値を含む通信状態情報中の端末位置情報を提供する請求項２または３に記載の移動通信端末。
【請求項５】
前記情報提供部は、前記提供する端末位置情報と、前記現時端末位置情報とに基づいて、前記現時端末位置情報が示す位置から前記提供する端末位置情報が示す位置までの移動距離をさらに提供する請求項４に記載の移動通信端末。
【請求項６】
前記移動通信端末が無線によりデータ通信を行っている間に、前記移動通信端末が向いている方角である端末方角を取得するコンパス部を備え、
前記情報提供部は、前記提供する端末位置情報と、前記現時端末位置情報と、前記移動通信端末が無線によりデータ通信を行おうとする際に前記コンパス部により取得される端末方角とに基づいて、前記現時端末位置情報が示す位置から前記提供する端末位置情報が示す位置までの移動方向を提供する請求項４または５に記載の移動通信端末。
【請求項７】
前記移動通信端末が無線によりデータ通信を行っている間に、前記移動通信端末が向いている方角である端末方角を取得するコンパス部を備え、
前記憶部は、前記スループット値を計測した際に前記コンパス部により取得した端末方角をさらに含めて、前記通信状態情報として記憶し、
前記情報提供部は、前記提供する端末位置情報および前記現時端末位置情報に基づいて、前記提供する端末位置情報を含む前記通信状態情報に含まれる端末方向をさらに提供する請求項４〜６のいずれかに記載の移動通信端末。
【請求項８】
予め設けられた複数の動作モードのうちいずれかを選択して、無線によりデータ通信を行う移動通信端末の情報提供方法であって、
前記移動通信端末の位置情報を端末位置情報として取得する位置情報取得ステップと、
前記移動通信端末が無線によりデータ通信を行っている間に、単位時間当たりの実効転送量であるスループット値を計測するスループット計測ステップと、
前記スループット計測部ステップにより計測したスループット値と、前記スループット値を計測した際に取得した端末位置情報と、前記スループット値を計測した際に選択されていた動作モードとを、互いに対応付けて通信状態情報として記憶する記憶ステップと、
前記移動通信端末が無線によりデータ通信を行おうとした際に前記位置情報取得ステップにより取得される前記端末位置情報である現時端末位置情報と、前記移動通信端末が無線によりデータ通信を行おうとした際に選択されていた前記動作モードである選択動作モードに基づいて、前記記憶ステップにより記憶された前記通信状態情報を検出する検出ステップと、
前記検出ステップの検出結果に基づいて、前記通信状態情報に関する情報を提供する情報提供ステップとを含む情報提供方法。
【請求項９】
予め設けられた複数の動作モードのうちいずれかを選択して、無線によりデータ通信を行う移動通信端末に情報提供を行わせる処理をコンピュータに実行させる情報提供プログラムであって、
前記移動通信端末の位置情報を端末位置情報として取得する位置情報取得ステップと、
前記移動通信端末が無線によりデータ通信を行っている間に、単位時間当たりの実効転送量であるスループット値を計測するスループット計測ステップと、
前記スループット計測部ステップにより計測したスループット値と、前記スループット値を計測した際に取得した端末位置情報と、前記スループット値を計測した際に選択されていた動作モードとを、互いに対応付けて通信状態情報として記憶する記憶ステップと、
前記移動通信端末が無線によりデータ通信を行おうとした際に前記位置情報取得ステップにより取得される端末位置情報である現時端末位置情報と、前記移動通信端末が無線によりデータ通信を行おうとした際に選択されていた前記動作モードである選択動作モードに基づいて、前記記憶ステップにより記憶された前記通信状態情報を検出する検出ステップと、
前記検出ステップの検出結果に基づいて、前記通信状態情報に関する情報を提供する情報提供ステップとをコンピュータに実行させる情報提供プログラム。
【発明の詳細な説明】
【技術分野】
【０００１】
本発明は、例えば、予め設定された複数の動作モードのうち、いずれかを選択して、無線によりデータ通信する移動通信端末、情報提供方法および情報提供プログラムに関する。
【背景技術】
【０００２】
近年、例えばタブレット端末など、様々な機能を備えた移動通信端末が、普及してきている。このような移動通信端末を用いてデータ通信を行う方法として、例えばインターネットに接続されたアクセスポイントを経由して、データを送受信する方法が広く採用されている。
【０００３】
ここで、アクセスポイントおよび移動通信端末の間の通信接続には、例えば無線ＬＡＮ（Local Area Network）や有線ＬＡＮが用いられる。無線ＬＡＮおよび有線ＬＡＮを比較すると、無線ＬＡＮでは、ケーブルの配線を行う必要がないので、あらゆる場所でデータ通信を行える点で、有線ＬＡＮよりも優れている。このため、無線ＬＡＮの通信機能は、前述のタブレット端末などの移動通信端末の多くに搭載され、移動通信端末およびアクセスポイントの間の通信に広く利用されている。
【０００４】
無線ＬＡＮ通信機能を搭載する一般的な移動通信端末は、液晶表示装置などの表示部に電波強度を表示するように構成されている。このため、移動通信端末の利用者は、表示部の表示から現在地の電波強度を知ることができるので、電波強度を見ながら必要に応じて場所を移動してデータ通信を行うことができる。
【０００５】
例えば、特許文献１には、無線信号の受信品質を位置情報に関連付けた地図を用いて、受信品質が改善される場所を探索する技術が開示されている。
【先行技術文献】
【特許文献】
【０００６】
【特許文献１】特開２００８−０４２６２８号公報
【発明の概要】
【発明が解決しようとする課題】
【０００７】
しかしながら、無線ＬＡＮ通信では、電波強度が高い場所であっても、フェージング現象などの影響を受け、スループット（Through put）値が大幅に小さくなってしまう場合もある。このように、スループット値が低い場所で、無線ＬＡＮ通信機能を用いて、大容量のデータをダウンロードしようとすると、ダウンロードが完了するまでに長い時間を要してしまうことがあった。また、無線ＬＡＮ通信機能の動作モードによっても、ダウンロードのために長時間を要してしまう場合もあった。例えば、ＩＥＥＥ（The Institute of Electrical and Electronics Engineers, Inc.）規格に対応した動作モードの場合、８０２．１１ａ／ｂ／ｇ／ｎで、周波数帯や公称速度が異なってくる。特許文献１に記載の技術は、無線ＬＡＮ通信機能の複数の動作モードに対応していない。
【０００８】
本発明は、このような事情を鑑みてなされたものであり、無線によりデータ通信を行おうとした際に、移動通信端末の現在地や動作モードに適した情報を簡単に提供できる技術を供する。
【課題を解決するための手段】
【０００９】
本発明の移動通信端末は、予め設けられた複数の動作モードのうちいずれかを選択して、無線によりデータ通信を行う移動通信端末であって、前記移動通信端末の位置情報を端末位置情報として取得する位置情報取得部と、前記移動通信端末が無線によりデータ通信を行っている間に、単位時間当たりの実効転送量であるスループット値を計測するスループット計測部と、前記スループット計測部により計測したスループット値と、前記スループット値を計測した際に取得した端末位置情報と、前記スループット値を計測した際に選択されていた動作モードとを、互いに対応付けて通信状態情報として記憶する記憶部と、前記移動通信端末が無線によりデータ通信を行おうとした際に前記位置情報取得部により取得される前記端末位置情報である現時端末位置情報と、前記移動通信端末が無線によりデータ通信を行おうとした際に選択されていた前記動作モードである選択動作モードに基づいて、前記記憶部に記憶された通信状態情報を検出する情報検出部と、前記情報検出部の検出結果に基づいて、前記通信状態情報に関する情報を提供する情報提供部を備える。
【発明の効果】
【００１０】
本発明にかかる技術によれば、無線によりデータ通信を行おうとした際に、移動通信端末の現在地や動作モードに適した情報を簡単に提供できる。
【図面の簡単な説明】
【００１１】
【図１】本発明の第１の実施の形態にかかる移動通信端末の構成を示す図である。
【図２】本発明の第１の実施の形態にかかる移動通信端末の外観を示す図である。
【図３】本発明の第１の実施の形態にかかる移動通信端末とアクセスポイントの関係を説明するための図である。
【図４】本発明の第１の実施の形態にかかる移動通信端末の記憶部に記憶される情報を示す図である。
【図５】本発明の第１の実施の形態にかかる移動通信端末の動作フローを示す図である。
【図６】本発明の第２の実施の形態にかかる移動通信端末の動作フローを示す図である。
【図７】本発明の第３の実施の形態にかかる移動通信端末の動作フローを示す図である。
【図８】本発明の第４の実施の形態にかかる移動通信端末の構成を示す図である。
【図９】本発明の第４の実施の形態にかかる移動通信端末の記憶部に記憶される情報を示す図である。
【図１０】本発明の第４の実施の形態にかかる移動通信端末の動作フローを示す図である。
【発明を実施するための形態】
【００１２】
＜第１の実施の形態＞
図１は、本発明の第１の実施の形態にかかる移動通信端末１０００の構成を示す。図２は、移動通信端末１０００の外観を示す。図３は、移動通信端末１０００とアクセスポイント２０００の関係を説明するための図である。
【００１３】
以下の説明では、まず、図２および図３を用いて、移動通信端末１０００の外観と、アクセスポイント２０００との関係について説明し、その後に図１を用いて、移動通信端末１０００の構成について説明する。
【００１４】
図２に示されるように、移動通信端末１０００は例えばタブレット（Tablet）型の端末である。移動通信端末１０００の表面には、例えば操作部７００や表示部８００が取り付けられている。なお、操作部７００および表示部８００の詳細については、後で図１を用いて説明する。
【００１５】
図３に示されるように、移動通信端末１０００は、アクセスポイント２０００を介してインターネットに接続して、データ通信を行う。このとき、移動通信端末１０００およびアクセスポイント２０００の間の通信は、無線ＬＡＮ通信により行われる。移動通信端末１０００およびアクセスポイント２０００の無線ＬＡＮ機能は、例えばＩＥＥＥ８０２．１１ａ／ｂ／ｇ／ｎ規格に対応している。移動通信端末１０００は、ＩＥＥＥ８０２．１１ａ／ｂ／ｇ／ｎに対応して４つの動作モードが設けられており、このうちのいずれかを選択してアクセスポイント２０００と無線ＬＡＮ通信を行う。
【００１６】
次に、図１を用いて、移動通信端末１０００の構成を具体的に説明する。図１に示されるように、移動通信端末１０００は、無線ＬＡＮ通信用アンテナ１００と、無線ＬＡＮ通信部２００と、ＧＰＳ通信用アンテナ３００と、ＧＰＳ通信部４００と、制御部５００と、記憶部６００と、操作部７００と、表示部８００と、電子コンパス部９００を含んで構成されている。
【００１７】
無線ＬＡＮ通信用アンテナ１００は、無線ＬＡＮ通信に適したアンテナであって、無線ＬＡＮ通信部２００に接続されている。無線ＬＡＮ通信部２００は、制御部５００に接続されている。無線ＬＡＮ通信部２００は、後述の動作モード設定部５１０により設定された動作モード（例えばＩＥＥＥ８０２．１１ａ／ｂ／ｇ／ｎのいずれかに対応する動作モード）に従って、無線ＬＡＮ通信用アンテナ１００を介して、アクセスポイント２０００（図２を参照）とデータ通信を行う。
【００１８】
ＧＰＳ（Global Positioning System）通信用アンテナ３００は、ＧＰＳ通信に適したアンテナであって、ＧＰＳ通信部４００に接続されている。ＧＰＳ通信部４００は、制御部５００に接続され、ＧＰＳ通信用アンテナ３００を介してＧＰＳ衛星から信号（以下、ＧＰＳ信号とする）を受信する。
【００１９】
制御部５００は、無線ＬＡＮ通信用アンテナ１００、無線ＬＡＮ通信部２００、ＧＰＳ通信用アンテナ３００、ＧＰＳ通信部４００、記憶部６００、操作部７００、表示部８００および電子コンパス部９００など、移動通信端末１０００内の電子機器の全てを制御する。
【００２０】
制御部５００は、動作モード設定部５１０と、位置情報取得部５２０と、スループット計測部５３０と、情報検出部５４０と、情報提供部５５０とを含んで構成されている。
【００２１】
動作モード設定部５１０は、予め設けられた複数の無線ＬＡＮ通信機能の動作モードのうちいずれかを選択する。複数の無線ＬＡＮ通信機能の動作モードは、前述の通り、ＩＥＥＥ８０２．１１ａ／ｂ／ｇ／ｎの４つの規格に対応している。動作モード設定部５１０は、この４つの動作モードのうち１つを選択する。なお、動作モード設定部５１０による動作モードの選択は、移動通信端末１０００の利用者が操作部７００により入力する信号に基づいて行われる。すなわち、動作モード設定部５１０は、利用者によって操作部７００により入力される信号に基づいて、ＩＥＥＥ８０２．１１ａ／ｂ／ｇ／ｎの４つの規格に対応する動作モードのうち１つを選択する。
【００２２】
位置情報取得部５２０は、移動通信端末１０００の位置情報を端末位置情報として取得する。具体的には、位置情報取得部５２０は、ＧＰＳ通信部４００により受信されるＧＰＳ信号から、移動通信端末１０００の緯度および経度を端末位置情報として取得する。
【００２３】
スループット計測部５３０は、移動通信端末１０００が無線ＬＡＮ通信部２００および無線ＬＡＮ用アンテナ１００を用いて無線によりデータ通信を行っている間に、スループット値を計測する。ここで、スループット値とは、単位時間当たりの実効転送量をいう。具体的には、スループット計測部５３０は、データ通信を行っている時間と、通信したデータのファイル容量に基づいて、スループット値を算出する。
【００２４】
情報検出部５４０は、記憶部６００に記憶される通信状態情報６１０を所定の条件に基づいて検出する。なお、情報検出部５０４の具体的な機能や動作などについては、後述の動作説明において詳しく説明する。
【００２５】
情報提供部５５０は、情報検出部５４０の検出結果に基づいて、通信状態情報に関する情報を提供する。なお、情報提供部５５０の具体的な機能や動作については、後述の動作説明において詳しく説明する。
【００２６】
記憶部６００は、制御部５００に接続されており、１以上の通信状態情報６１０を記憶する。この通信状態情報６１０は、端末位置情報６１０ａと、動作モード６１０ｂと、スループット値６１０ｃとを互いに対応付けた情報である。このときのスループット値６１０ｃは、移動通信端末１０００が無線によりデータ通信を行っている間に、スループット計測部５３０により計測されたスループット値である。端末位置情報６１０ａは、スループット計測部５３０によりスループット値６１０ｃを計測した際に取得した端末位置情報である。動作モード６１０ｂは、スループット計測部５３０によりスループット値６１０ｃを計測した際に選択されていた動作モードである。
【００２７】
図４は、記憶部６００に記憶される情報を示す。図４に示されるように、例えば、端末位置情報６１０ａ（緯度／経度＝ＸＸＸＡ／ＹＹＹＡ）と、スループット値６１０ｃ（ＺＺＡ  Ｍｂｐｓ（bit per second））と、動作モード６１０ｂ（ＩＥＥＥ８０２．１１ｇ）とが、互いに対応付けられて、通信状態情報６１０−１として、記憶されている。同様に、端末位置情報６１０ａ（緯度／経度＝ＸＸＸＢ／ＹＹＹＢ）と、スループット値６１０ｃ（ＺＺＢ  （Ｍｂｐｓ））と、動作モード６１０ｂ（ＩＥＥＥ８０２．１１ｇ）とが、互いに対応付けられて、通信状態情報６１０−２として、記憶されている。このようにして、記憶部６００には、複数の通信状態情報６１０―１、６１０―２、６１０−３、・・・、６１０−ｎが、端末位置情報６１０ａ、スループット値６１０ｃおよび動作モード６１０ｂが互いに対応付けられる形で、記憶されている。なお、以下の説明では、特に通信状態情報６１０―１、６１０―２、６１０−３、・・・、６１０−ｎの各々を区別する必要がある場合を除いて、通信状態情報６１０―１、６１０―２、６１０−３、・・・、６１０−ｎの各々を単に通信状態情報６１０と称する。
【００２８】
図１に戻って、操作部７００は、例えばスイッチボタンであって、図２に示したように、例えば移動通信端末１０００の表面に設けられる。また、操作部７００は、制御部５００に接続されている。移動通信端末１０００の利用者は、この操作部７００を用いて、所望の情報を信号として入力する。例えば、移動通信端末１０００の利用者は、操作部７００を用いて、動作モードを入力することができる。この結果、動作モード設定部５１０が、操作部７００により入力された信号を取得し、取得した信号に基づいてＩＥＥＥ８０２．１１ａ／ｂ／ｇ／ｎに対応する４つの動作モードのうち１つを設定する。
【００２９】
表示部８００は、制御部５００内の各部が実行する各処理内容などを表示する。例えば、表示部８００は、制御部５００の制御に従って、情報提供部５６０により提供される情報を表示する。なお、表示部８００には、例えば液晶表示素子や有機ＥＬ（Electro- Luminescence）表示素子などが用いられる。
【００３０】
電子コンパス部９００は、移動通信端末１０００が無線によりデータ通信を行っている間に、移動通信端末１０００が向いている方角である端末方角を取得する。端末方角は、移動通信端末１０００の基準面が向く方角とする。例えば、図２では、紙面上側の側面を基準面とし、この紙面上側の側面が向く矢印Ａの方角を端末方角としている。なお、この電子コンパス部９００は、本発明のコンパス部に相当する。
【００３１】
以上、本発明の第１の実施の形態にかかる移動通信端末１０００の構成について、説明した。
【００３２】
次に、本発明の第１の実施の形態にかかる移動通信端末１０００の動作について、図に基づいて説明する。図５は、移動通信端末１０００の動作フローを示す。
【００３３】
図５に示されるように、アクセスポイント２０００を介してデータ通信を行うため、移動通信端末１０００の利用者が操作部７００を用いて所定の命令信号を入力すると（Ｓ５０１）、位置情報取得部５２０が、ＧＰＳ通信部４００により受信されるＧＰＳ信号から端末位置情報（緯度、経度）を取得する（Ｓ５０２）。
【００３４】
ここで、移動通信端末１０００が無線によりデータ通信を行おうとした際に位置情報取得部５２０により取得される端末位置情報を、「現時端末位置情報」とする。この現時端末位置情報は、移動通信端末１０００の現在地の位置情報（緯度、経度）に実質的に相当し、Ｓ５０２の処理で取得される。また、移動通信端末１０００が無線によりデータ通信を行おうとした際に選択されていた動作モードを、「選択動作モード」とする。
【００３５】
Ｓ５０２の処理後、情報検出部５４０が、現時端末位置情報および選択動作モードに基づいて、記憶部６００に記憶される通信状態情報６１０を検出する。具体的には、まず、情報検出部５４０は、移動通信端末１０００の現在地（現時端末位置情報が示す位置）から所定範囲内（例えば１０ｋｍ以内）の端末位置情報を含む通信状態情報が、記憶部６００に記憶されているか否かを検出する（Ｓ５０３）。
【００３６】
情報検出部５４０が、前記条件を満たす通信状態情報が記憶部６００に記憶されていると検出した場合（Ｓ５０３、ＹＥＳ）、さらに、当該検出された通信状態情報に含まれるスループット値よりも高いスループット値を含み、かつ、選択動作モードと同じ動作モードを含む通信状態情報が、記憶部６００に記憶されているか否かを判断する（Ｓ５０４）。
【００３７】
Ｓ５０４で検出された通信状態情報に含まれるスループット値よりも高いスループット値を含み、かつ、選択動作モードと同じ動作モードを含む通信状態情報が、記憶部６００に記憶されていると検出された場合（Ｓ５０４、ＹＥＳ）、情報提供部５５０は、当該検出された通信状態情報のうちで、最も高いスループット値を含む通信状態情報中の端末位置情報（緯度、経度）を取得する（Ｓ５０５）。これにより、移動通信端末１０００は、選択動作モードと同じ動作モードの下で、当該移動通信端末１０００の現在地よりも高いスループット値を含む通信状態情報のうちで、最もスループット値が高い通信状態情報に含まれる端末位置情報（緯度、経度）を取得することができる。
【００３８】
次に、電子コンパス部９００が、制御部５００の制御の下で、端末方角を取得する（Ｓ５０６）。また、情報提供部５５０は、現在地から、Ｓ５０５で取得された端末位置情報が示す位置までの移動距離と移動方向を算出する（Ｓ５０７）。すなわち、より具体的には、情報提供部５５０は、現時端末位置情報と、Ｓ５０５で取得した端末位置情報と、Ｓ５０６で取得した端末方角とに基づいて、現時端末位置情報が示す位置（移動通信端末１０００の現在地）から、Ｓ５０５で取得した端末位置情報が示す位置までの移動距離と移動方向を算出する。
【００３９】
そして、情報提供部５５０は、Ｓ５０７で算出した結果（移動距離と移動方向）を、例えば表示部８００に表示することにより、移動通信端末１０００の利用者に提供する（Ｓ５０８）。なお、ここでは、前記算出結果を表示部８００への表示により提供すると説明したが、例えば、音声によって前記算出結果を提供してもよい。また、情報提供部５５０は、移動先までの移動距離と移動方向の双方を提供するのではなく、移動距離のみを提供したり、移動方向のみを提供したりしてもよい。情報提供部５５９が移動先までの移動距離のみを提供する場合には、本実施の形態において電子コンパス部９００を不要とする。
【００４０】
次に、表示部８００が、制御部５００の指示に従って、「データ通信を開始します」という表示と「ＯＫボタン」の表示を行う（Ｓ５０９）。
【００４１】
移動通信端末１０００の利用者が必要に応じて移動することに伴って、移動通信端末１０００が移動する（Ｓ５１０）。すなわち、移動通信端末１０００の利用者は、例えばＳ５０７で提供された距離と移動方向に従って、最もスループット値が高い位置まで移動する。この結果、移動通信端末１０００が、最もスループット値が高い位置に配置される。
【００４２】
そして、移動通信端末１０００の利用者が、表示部６００の表示内容を確認して「ＯＫボタン」を押下すると、移動通信端末１０００の無線ＬＡＮ通信部２００がアクセスポイント２０００を介してデータ通信を開始する（Ｓ５１１）。なお、この場合は、表示部８００の表面にはタッチパネルスイッチが取り付けられており、「ＯＫボタン」を押下することで、データ通信を開始する命令信号が制御部５００から無線ＬＡＮ通信部２００へ出力されるものとする。
【００４３】
次に、スループット計測部５３０が、データ通信開始から完了までのスループット値を計測する（Ｓ５１２）。具体的には、スループット計測部５３０は、「ＯＫボタン」が押下されてからデータ通信が完了するまでの時間と、通信したデータのファイル容量に基づいて、スループット値を算出する。このとき、位置情報取得部５２０は、スループット値を計測した際の端末位置情報を取得する。また、制御部５００は、スループット値を計測した際の動作モードを取得する。
【００４４】
そして、制御部５００は、端末位置情報（緯度、経度）と、スループット値と、動作モードとを通信状態情報６１０として記憶部６００に記憶する（Ｓ５１３）。より具体的には、制御部５００は、移動通信端末１０００が無線によりデータ通信を行っている間に、スループット計測部５３０により計測されたスループット値６１０ｃと、当該スループット値を計測した際に取得した端末位置情報６１０ａと、当該スループット値を計測した際に選択されていた動作モード６１０ｂとを、互いに対応付けて通信状態情報６１０として記憶する。このとき、スループット値６１０ｃには、Ｓ５１２で計測されたデータを用いる。また、端末位置情報６１０ａには、Ｓ５１０で移動通信端末１０００が移動した場合には、Ｓ５１２でスループット値を計測した際の端末位置情報を用いる。なお、Ｓ５１０で移動通信端末１０００の利用者が移動しない場合には、Ｓ５０２で取得した現時端末位置情報を、端末位置情報６１０ａとしてもよい。さらに、動作モード６１０ｂには、Ｓ５１２でスループット値を計測した際に選択されていたモードを用いる。これにより、移動通信端末１０００は、データ通信を行った際のスループット値６１０ｃと、端末位置情報６１０ａ（緯度、経度）と、動作モード６１０ｂとを互いに対応付けて、記憶部６００に蓄積することができる。
【００４５】
Ｓ５０３に戻って、情報検出部５４０が、現在地から所定範囲内の端末位置情報を含む通信状態情報が記憶部６００に記憶されていないと検出した場合（Ｓ５０３、ＮＯ）、移動通信端末１０００は、Ｓ５０４〜Ｓ５０８の処理を行わずに、Ｓ５０９以降の処理を行う。
【００４６】
また、Ｓ５０４の処理では、Ｓ５０４で検出された通信状態情報に含まれるスループット値よりも高いスループット値を含み、かつ、選択動作モードと同じ動作モードを含む通信状態情報が、記憶部６００に記憶されていないと判断された場合（Ｓ５０４、ＮＯ）、移動通信端末１０００は、Ｓ５０５〜Ｓ５０８の処理を行わずに、Ｓ５０９以降の処理を行う。
【００４７】
すなわち、情報検出部５４０が、現在地から所定範囲内の端末位置情報を含む通信状態情報が記憶部６００に記憶されていないと検出した場合（Ｓ５０３、ＮＯ）や、Ｓ５０４で検出された通信状態情報に含まれるスループット値よりも高いスループット値を含み、かつ、選択動作モードと同じ動作モードを含む通信状態情報が、記憶部６００に記憶されていないと判断された場合（Ｓ５０４、ＮＯ）には、移動通信端末１０００は、その利用者に対して記憶部６００に記憶されている情報を提供することなく、Ｓ５０９でデータ通信を促す表示をする。そして、移動通信端末１０００の利用者が必要に応じて移動した後（Ｓ５１０）、データ通信を行った場合に（Ｓ５１１）、移動通信端末１０００は、スループット値を計測し（Ｓ５１２）、データ通信を行った際の端末位置情報とスループット値と動作モードを互いに対応付けて新たに記憶部６００に記憶する。
【００４８】
以上に説明したように、本発明の第１の実施の形態にかかる移動通信端末１０００は、予め設けられた複数の動作モード（例えばＩＥＥＥ８０２．１１ａ／ｂ／ｇ／ｎ）のうちいずれかを選択して、無線によりデータ通信を行う。そして、移動通信端末１０００は、位置情報取得部５２０と、スループット計測部５３０と、記憶部６００と、情報検出部５４０と、情報提供部５５０とを含んで構成される。位置情報取得部５２０は、移動通信端末１０００の位置情報を端末位置情報として取得する。スループット計測部５３０は、動通信端末１０００が無線によりデータ通信を行っている間に、単位時間当たりの実効転送量であるスループット値を計測する。記憶部６００は、スループット計測部５３０により計測したスループット値６１０ｃと、スループット値６１０ｃを計測した際に取得した端末位置情報６１０ａと、スループット値６１０ｃを計測した際に選択されていた動作モード６１０ｂとを、互いに対応付けて通信状態情報６１０として記憶する。情報検出部５４０は、移動通信端末１０００が無線によりデータ通信を行おうとした際に位置情報取得部５２０により取得される端末位置情報である現時端末位置情報と、移動通信端末１０００が無線によりデータ通信を行おうとした際に選択されていた動作モードである選択動作モードに基づいて、記憶部６００に記憶された通信状態情報６１０を検出する。情報提供部５５０は、情報検出部５４０の検出結果に基づいて、通信状態情報６１０に関する（例えば現在地からスループット値が高い場所までの移動距離や移動方向）を提供する。
【００４９】
このように、記憶部６００には、通信状態情報６１０として、予め端末位置情報６１０ａとスループット値６１０ｃと動作モード６１０ｂとが、互いに対応付けられて記憶されている。このため、端末位置情報６１０ａとスループット値６１０ｃと動作モード６１０ｂのうち、いずれかの情報が分かれば、その情報に基づいて、記憶部６００内から通信状態情報６１０を検出することができる。また、移動通信端末１０００が無線によりデータ通信を行おうとした際に、情報検出部５４０が、その際の移動通信端末１０００の現在地を実質的に表す現時端末位置情報と、その際に選択されていた動作モードを表す選択動作モードに基づいて、記憶部６００内の通信状態情報６１０を検出する。これにより、無線によりデータ通信を行おうとした際に、移動通信端末の現在地や動作モードに適した情報を記憶部６００の中から検出することができる。そして、情報提供部５５０が検出結果に基づいて、通信状態情報６１０に関する情報（例えば現在地からスループット値が高い場所までの移動距離や移動方向）を提供するので、移動通信端末の現在地や動作モードに適した各種情報が移動通信端末１０００の利用者に対して提供される。この結果、無線によりデータ通信を行おうとした際に、移動通信端末の現在地や動作モードに適した情報を簡単に提供できる移動通信端末１０００を得ることができる。本発明では、情報検出部５４０が、選択動作モードをも考慮して、記憶部６００内の通信状態情報６１０を検出するので、移動通信端末１０００の現在地だけでなく、複数の動作モードのうち特定の動作モードに適した情報を検出し提供できる。このような情報の提供を受けることにより、移動通信端末１０００の利用者は、情報通知部５５０により通知された情報を基に、例えば屋内の通信可能領域のうち、どの辺りでスループット値が高いのかを知ることができる。また、移動通信端末１０００の利用者は、情報通知部５５０により通知された情報を基に、例えば大容量のデータをダウンロードする際など必要に応じて、スループット値が高い位置まで移動してデータ通信をすることができる。これにより、ダウンロード完了までの時間を短縮することができる。
【００５０】
なお、無線ＬＡＮ通信機能を用いてデータを送信しようとした際に、例えば、アクセスポイントや、このアクセスポイントに接続されるサーバなどから、移動通信端末１０００の現在地や動作モードに適した通信情報を取得する方法も考えられる。しかしながら、移動通信端末１０００が無線ＬＡＮ通信機能を用いてデータを送信しようとする前に、移動通信端末１０００側からアクセスポイントやサーバに通信情報を問い合わせる必要があり、複雑な事前処理が必要である。一方、本発明の第１の実施の形態における移動通信端末１０００では、上述の通り、当該移動通信端末１０００内の記憶部６００に通信状態情報６１０として端末位置情報６１０ａ、動作モード６１０ｂおよびスループット値６１０ｃを記憶しているので、アクセスポイントやサーバに通信情報を問い合わせることを必要とせず、移動通信端末１０００の現在地や動作モードに適した情報を簡単に提供できる。
【００５１】
また、本発明の第１の実施の形態における移動通信端末１０００において、情報検出部５４０は、現時端末位置情報が示す位置から所定範囲内の位置を示す端末位置情報を含む通信状態情報が、記憶部６００に記憶されていると検出した場合に、当該検出された通信状態情報に含まれるスループット値よりも高いスループット値を含み、かつ、選択動作モードと同じ動作モードを含む通信状態情報が、記憶部６００に記憶されているか否かを判断する。
【００５２】
このように、情報検出部５４０は、まず、現時端末位置情報と同じ位置を示す端末位置情報を含む通信状態情報だけでなく、現時端末位置情報が示す位置から所定範囲内の位置を示す端末位置情報を含む通信状態情報が、記憶部６００に記憶されているか否かを検出している。これにより、情報検出部５４０は、移動通信端末１０００の現在地の周辺に至る範囲に関する通信状態情報を記憶部６００から検出することができる。移動通信端末１０００の現在地を実質的に示す現時端末位置情報は、緯度および経度で特定されるので、現時端末位置情報が記憶部６００内に記憶されている各種情報と完全に一致する確率は非常に低い。これに対して、本発明では、現時端末位置情報が示す位置から所定範囲内に至るまでの端末位置情報を含む通信状態情報を、情報検出部５４０の検出対象としている。このため、情報検出部５４０が通信状態情報を記憶部６００から検出する確率を高めることができる。また、さらに、情報検出部５４０は、当該検出された通信状態情報に含まれるスループット値よりも高いスループット値を含み、かつ、選択動作モードと同じ動作モードを含む通信状態情報が、記憶部６００に記憶されているか否かを判断する。これにより、情報検出部５４０は、移動通信端末１０００の現在地よりもより高いスループット値を含む通信状態情報を、同じ選択モードという条件の下で、記憶部６００から検出することができる。
【００５３】
また、本発明の第１の実施の形態における移動通信端末１０００において、情報検出部５４０が、検出された通信状態情報に含まれるスループット値よりも高いスループット値を含み、かつ、選択動作モードと同じ動作モードを含む通信状態情報が、記憶部６００に記憶されていると検出した場合、情報提供部５５０は、当該検出した通信状態情報６１０のうちで、最も高いスループット値６１０ｃを含む通信状態情報６１０中の端末位置情報６１０ａを提供する。これにより、移動通信端末１０００の利用者は、同じ選択モードの下で、最もスループット値が高い位置を得ることができる。
【００５４】
本発明の第１の実施の形態における移動通信端末１０００において、情報提供部５６０は、提供する端末位置情報６１０ａと、現時端末位置情報とに基づいて、現時端末位置情報が示す位置から、提供する位置情報が示す位置までの移動距離をさらに提供する。これにより、移動通信端末１０００の利用者は、さらに移動通信端末１０００の現在地から、よりスループット値が高い位置までの移動距離を知ることができる。
【００５５】
本発明の第１の実施の形態にかかる移動通信端末１０００は、さらに電子コンパス部９００を備えている。この電子コンパス部９００は、移動通信端末１０００が無線によりデータ通信を行っている間に、移動通信端末１０００が向いている方角である端末方角を取得する。そして、情報提供部５５０は、提供する端末位置情報６１０ａと、移動通信端末１０００の現在地を実質的に示す現時端末位置情報と、移動通信端末１０００が無線によりデータ通信を行おうとする際に電子コンパス部９００により取得される端末方角とに基づいて、現時端末位置情報が示す位置から前記提供する位置情報が示す位置までの移動方向を提供する。これにより、移動通信端末１０００の利用者は、さらに移動通信端末の現在地から、最もスループット値が高い位置までの移動方向を知ることができる。
【００５６】
＜第２の実施の形態＞
次に、第２の実施の形態における移動通信端末について、説明する。第２の実施の形態における移動通信端末の構成は、第１の実施の形態における移動通信端末１０００と基本的には同一である。一方、ＧＰＳ通信部４００の動作において、第２の実施の形態は、第１の実施の形態と異なる。
【００５７】
図６は、本発明の第２の実施の形態にかかる移動通信端末の動作フローを示す。図６と図５を対比すると、図６のＳ５０３〜Ｓ５１３は、図５と同一である。これに対して、図６のＳ６０１およびＳ６０２は、図５のＳ５０１およびＳ５０２と異なる。すなわち、図５では、移動通信端末１０００は、データ通信開始の命令を受けた後に、現時端末位置情報（緯度、経度）を取得するのに対して（Ｓ５０１、Ｓ５０２）、図６では、移動通信端末は、データ通信開始の命令がなくとも、定期的に現時端末位置情報を取得する点で（Ｓ６０１、Ｓ６０２）、両者は相違する。
【００５８】
具体的には、位置情報取得部５２０が、定期的（例えば数秒毎）に、ＧＰＳ通信部４００により受信されるＧＰＳ信号から、現時端末位置情報、すなわち移動通信端末１０００の現在地の端末位置情報（緯度、経度）を取得する（Ｓ６０１）。そして、アクセスポイント２０００を介してデータ通信を行うため、移動通信端末１０００の利用者が操作部７００を用いて所定の命令信号を入力すると（Ｓ６０２）、移動通信端末１０００がＳ５０３以降の処理を行う。
【００５９】
このように、データ通信開始前に定期的に現時端末位置情報を取得することにより、移動通信端末１０００の利用者がデータ通信を行おうとした時から、実際にデータ通信を行うまでの時間を、位置情報取得部５２０によるＧＰＳ信号の読み込み時間分、短縮することができる。
【００６０】
＜第３の実施の形態＞
次に、本発明の第３の実施の形態にかかる移動通信端末について、説明する。第３の実施の形態における移動通信端末の構成は、第１の実施の形態における移動通信端末１０００と基本的には同一である。一方、情報検出部５４０の動作において、第３の実施の形態は、第１の実施の形態と異なる。
【００６１】
図７は、本発明の第３の実施の形態にかかる移動通信端末の動作フローを示す。図７と図５を対比すると、図７のＳ５０１〜Ｓ５１３は、図５と同一である。これに対して、図７では、Ｓ７０１がＳ５０３およびＳ５０４の間に含まれている点で、両者は相違する。すなわち、図５では、Ｓ５０２の処理後、情報検出部５４０が、現時端末位置情報と同じ位置から所定範囲内（例えば１０ｍ以内）の位置を示す端末位置情報を含む通信状態情報が、記憶部６００に記憶されていると検出した場合（Ｓ５０３、ＹＥＳ）、Ｓ５０４の処理をしていた。これに対して、図７では、Ｓ５０２の処理後、情報検出部５４０が、現時端末位置情報と同じ位置から所定範囲内（例えば１０ｍ以内）の位置を示す端末位置情報を含む通信状態情報が、記憶部６００に記憶されていると検出した場合（Ｓ５０３、ＹＥＳ）に加えて、さらに、Ｓ５０３で検出された通信状態情報に含まれるスループット値が所定のスループット値（例えば、・・・・・）以下である場合（Ｓ７０１、ＹＥＳ）にのみ、Ｓ５０４の処理を行う。
【００６２】
また、情報検出部５４０が、現在地から所定範囲内の端末位置情報を含む通信状態情報が記憶部６００に記憶されていないと検出した場合（Ｓ５０３、ＮＯ）や、Ｓ５０３で検出された通信状態情報に含まれるスループット値が所定のスループット値以下でない場合（Ｓ７０１、ＮＯ）や、Ｓ５０４で検出された通信状態情報に含まれるスループット値よりも高いスループット値を含み、かつ、選択動作モードと同じ動作モードを含む通信状態情報が、記憶部６００に記憶されていないと判断された場合（Ｓ５０４、ＮＯ）には、移動通信端末１０００は、その利用者に対して記憶部６００に記憶されている情報を提供することなく、Ｓ５０９でデータ通信を促す表示をする。
【００６３】
以上のように、本発明の第２の実施の形態における移動通信端末において、情報検出部５４０は、現時端末位置情報が示す位置（移動通信端末１０００の現在地）から所定範囲内の位置を示す端末位置情報を含む通信状態情報が、前記記憶部に記憶されていると検出した場合（Ｓ５０３、ＹＥＳ）に加えて、さらに、当該検出された通信状態情報に含まれるスループット値が、所定のスループット値以下である場合（Ｓ７０１、ＹＥＳ）に、当該検出された通信状態情報に含まれるスループット値よりも高いスループット値を含み、かつ、前記選択動作モードと同じ動作モードを含む通信状態情報が、前記記憶部に記憶されているか否かを判断する（Ｓ５０４）。
【００６４】
このように、移動通信端末１０００の現在地から所定範囲内におけるスループット値が所定値よりも低い場合にのみ、Ｓ５０４以降の処理を行う。一方、移動通信端末１０００の現在地から所定範囲内におけるスループット値が十分に高い場合には、Ｓ５０４〜Ｓ５０８の処理を行わずに、直ちにＳ５０９〜Ｓ５１３の処理を行う。このため、移動通信端末１０００の現在地周辺のスループット値が低い場合にのみ、当該移動通信端末１０００の利用者に対して、スループット値がより高い位置など、移動通信端末１０００の現在地や動作モードに適した有益な情報を効率よく提供することができる。
【００６５】
＜第４の実施の形態＞
次に、本発明の第４の実施の形態にかかる移動通信端末１１００について、説明する。図８と図１とを対比すると、図１では、端末位置情報６１０ａ、動作モード６１０ｂおよびスループット値６１０ｃの３つが通信状態情報６１０として記憶部６００に記憶されるのに対して、図８では、前記３つの情報に加えて端末方角６１０ｄをも含めて通信状態情報６１０Ａとして記憶部６００Ａに記憶される点で、両者は相違する。なお、図８では、第１の実施の形態にかかる移動通信端末１０００と同一機能を有する構成要素に対して、図１と同一の符号を付している。図１と同一符号を示す構成要件については、詳細な説明を省略する。
【００６６】
図８に示されるように、記憶部６００Ａは、制御部５００に接続されており、通信状態情報６１０Ａを記憶する。この通信状態情報６１０Ａは、端末位置情報６１０ａと、動作モード６１０ｂと、スループット値６１０ｃと、端末方向６１０ｄを互いに対応付けた情報である。図１の説明と同様に、このときのスループット値６１０ｃは、移動通信端末１０００が無線によりデータ通信を行っている間に、スループット計測部５３０により計測されたスループット値である。端末位置情報６１０ａは、スループット計測部５３０によりスループット値６１０ｃを計測した際に取得した端末位置情報である。動作モード６１０ｂは、スループット計測部５３０によりスループット値６１０ｃを計測した際に選択されていた動作モードである。そして、新たに追加された端末方向６１０ｄは、スループット計測部５３０によりスループット値６１０ｃを計測した際に電子コンパス部９００により取得した方向である。
【００６７】
図９は、記憶部６００Ａに記憶される情報を示す。図９に示されるように、例えば、端末位置情報６１０ａ（緯度／経度＝ＸＸＸＡ／ＹＹＹＡ）と、スループット値６１０ｃ（ＺＺＡ  Ｍｂｐｓ）と、動作モード６１０ｂ（ＩＥＥＥ８０２．１１ｇ）と、端末方向６１０ｄ（５０°）とが、互いに対応付けられて、通信状態情報６１０Ａ−１として、記憶部６００に記憶されている。同様に、複数の通信状態情報６１０Ａ―１、６１０Ａ―２、６１０Ａ−３、・・・、６１０Ａ−ｎが、記憶部６００Ａに記憶されている。
【００６８】
このとき、端末方向６１０ｄは、例えば真北を基準に時計回り（東方向）に回転した角度を示す。すなわち、端末方向６１０ｄが５０°である場合、移動通信端末１０００の基準面が向く矢印Ａ（図２を参照）が、真北から東方向に５０°移転した方向を指していたことを意味する。
【００６９】
なお、以下の説明では、特に通信状態情報６１０Ａ―１、６１０Ａ―２、６１０Ａ−３、・・・、６１０Ａ−ｎの各々を区別する必要がある場合を除いて、通信状態情報６１０Ａ―１、６１０Ａ―２、６１０Ａ−３、・・・、６１０Ａ−ｎの各々を単に通信状態情報６１０Ａと称する。
【００７０】
次に、本発明の第４の実施の形態にかかる移動通信端末１１００の動作について、図に基づいて説明する。図１０は、移動通信端末１１００の動作フローを示す。
【００７１】
図１０と図５を対比すると、移動通信端末１１００は、Ｓ５０８およびＳ５１３の代わりに、Ｓ１００１およびＳ１００２の処理を行う。
【００７２】
以下に、図１０に基づいて、移動通信端末１１００の動作を説明する。なお、図１との相違部の動作を中心に説明することとし、Ｓ５０８およびＳ５１３以外の処理は図１と同様であるので必要な場合を除き詳細な説明を省略する。
【００７３】
Ｓ５０７の処理の後、情報提供部５５０は、Ｓ５０７で算出した結果（距離と移動方向）とともに、さらにＳ５０５で取得された端末位置情報６１０ａを含む通信状態情報６１０Ａに含まれる端末方向６１０ｄを、例えば表示部８００に表示することにより、移動通信端末１０００の利用者に提供する（Ｓ１００１）。このとき、Ｓ５０５で取得された端末位置情報６１０ａは、前述の通り、Ｓ５０５で検出された通信状態情報のうちで、最も高いスループット値を含む通信状態情報６１０中の端末位置情報である。なお、ここでは、前記算出結果を表示部８００への表示により提供すると説明したが、第１の実施の形態と同様に、例えば音声によって前記算出結果および端末方向を提供してもよい。
【００７４】
また、Ｓ５１２で、スループット計測部５３０が、データ通信開始から完了までのスループット値を計測した後、制御部５００は、端末位置情報と、スループット値と、動作モードとに加えて、さらに端末方角とを通信状態情報６１０Ａとして記憶部６００Ａに記憶する（Ｓ１００２）。具体的には、制御部５００は、移動通信端末１０００が無線によりデータ通信を行っている間に、Ｓ５１２でスループット計測部５３０により計測されたスループット値６１０ｃと、当該スループット値を計測した際に取得した端末位置情報６１０ａと、当該スループット値を計測した際に選択されていた動作モード６１０ｂと、さらに当該スループット値を計測した際に電子コンパス部９００により取得した端末方角６１０ｄとを互いに対応付けて通信状態情報６１０として記憶する。
【００７５】
このとき、第１の実施の形態と同様に、スループット値６１０ｃには、Ｓ５１２で計測されたデータを用いる。また、端末位置情報６１０ａには、Ｓ５１０で移動通信端末１０００が移動した場合には、Ｓ５１２でスループット値を計測した際の端末位置情報を用いる。一方、Ｓ５１０で移動通信端末１０００の利用者が移動しない場合には、Ｓ５０２で取得した現時端末位置情報を、端末位置情報６１０ａとしてもよい。さらに、動作モード６１０ｂには、Ｓ５１２でスループット値を計測した際に選択されていたモードを用いる。また、端末方向６１０ｄには、Ｓ５１０で移動通信端末１０００が移動した場合には、Ｓ５１２でスループット値を計測した際の端末方向を用いる。一方、Ｓ５１０で移動通信端末１０００の利用者が移動しない場合には、Ｓ５０６で取得した端末方向を、端末方向６１０ｄとしてもよい。これにより、データ通信を行った際のスループット値と、端末位置情報（緯度、経度）と、動作モードと、端末方向とを互いに対応付けて、記憶部６００Ａに蓄積することができる。
【００７６】
以上のように、本発明の第４の実施の形態における移動通信端末１１００は、電子コンパス部９００を備えている。この電子コンパス部９００は、移動通信端末１１００が無線によりデータ通信を行っている間に、移動通信端末１１００が向いている方角（例えば移動通信端末１０００の特定面が向く方角）である端末方角を取得する。また、記憶部６００Ａは、スループット計測部５３０がスループット値を計測した際に電子コンパス部９００により取得した端末方角６１０ｄをさらに含めて、通信状態情報６１０Ａとして記憶する。そして、情報提供部５５０は、提供する端末位置情報６１０ａと、移動通信端末１０００の現在地を実質的に示す現時端末位置情報とに基づいて、提供する端末位置情報６１０ａを含む通信状態情報６１０Ａに含まれる端末方向６１０ｄをさらに提供する。これにより、移動通信端末１０００の利用者は、スループット値が最も高い位置における端末方向を知ることができる。つまり、移動通信端末１１００の利用者は、スループット値が最も高い位置で、当該移動通信端末１１００の向きをどの方向に向ければよいのかを知ることができる。この結果、移動通信端末１１００の利用者は、知得した端末方向に基づいて、移動通信端末１１００の向きを調整することができる。これにより、移動通信端末１１００は、移動先において、高いスループット値を示す好環境下で、適正な方向に移動通信端末１１００を向けて、効率よくデータ通信を行うことができる。
【００７７】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【００７８】
各実施の形態において、移動通信端末１０００、１１００はタブレット型であると説明したが、移動通信端末１０００、１１００をタブレット型以外で構成してもよい。
【００７９】
第１〜第３の実施の形態では、情報提供部５５０は、通信状態情報６１０に関する情報として、移動通信端末１０００の現在地から移動先までの移動距離および移動方向を提供すると説明した。第４の実施の形態では、情報提供部５５０は、通信状態情報６１０として、さらに異動先の端末方角を提供すると説明した。しかしながら、情報提供部５５０は、移動距離や移動方向や端末方向の他に、移動先の端末位置情報（緯度、経度）や動作モードなどを提供してもよい。
【符号の説明】
【００８０】
１００  無線ＬＡＮ通信用アンテナ
２００  無線ＬＡＮ通信部
３００  ＧＰＳ通信用アンテナ
４００  ＧＰＳ通信部
５００  制御部
５１０  動作モード設定部
５２０  位置情報取得部
５３０  スループット計測部
５４０  情報検出部
５５０  情報提供部
６００、６００Ａ  記憶部
６１０、６１０Ａ  通信状態情報
６１０ａ  端末位置情報
６１０ｂ  動作モード
６１０ｃ  スループット値
６１０ｄ  端末方角
７００  操作部
８００  表示部
９００  電子コンパス部
１０００、１１００  移動通信端末
【図１】
2012227709.tif 000003
【図２】
2012227709.tif 000004
【図３】
2012227709.tif 000005
【図４】
2012227709.tif 000006
【図５】
2012227709.tif 000007
【図６】
2012227709.tif 000008
【図７】
2012227709.tif 000009
【図８】
2012227709.tif 000010
【図９】
2012227709.tif 000011
【図１０】
2012227709.tif 000012